(57)【要約】対向する面に両極を有する磁石１１，１２と、磁石１１，１２により磁化されて磁極を形成する第１から第４磁極ヨーク１３−１６と、磁石１１，１２の間に配置し、表面に形成された蛇行コイルパターン１７ｂを通電することにより磁極ヨーク１３−１６と電磁的に結合して所定方向に振動する振動膜１７とを備え、磁極ヨーク１３−１６は、磁石１１，１２と当接して磁化される当接部１３ａ−１６ａと、磁極を帯状に形成する磁極部１３ｂ−１６ｂとを備え、磁極ヨーク１３−１６の複数の磁極部１３ｂ−１６ｂを、振動膜１７の上側及び下側にそれぞれ配設すると共に、振動膜１７の左右方向に異なる磁極が交互に位置するように間隔（音放射孔１９）をあけて配設し、振動膜１７の上側及び下側に磁極面を形成する。
2009122459.tif 000002
【特許請求の範囲】
【請求項１】
対向する面に両極を有する少なくとも二つの磁石と、
前記磁石により磁化されて磁極を形成する複数の磁極ヨークと、
前記少なくとも二つの磁石の間に配置し、表面に形成されたコイルパターンを通電することにより前記磁極ヨークと電磁的に結合して所定方向に振動する振動膜とを備え、
前記磁極ヨークは、前記磁石と当接して磁化される当接部と、前記磁極を帯状に形成する磁極部とを備え、
前記複数の磁極ヨークの複数の磁極部を前記振動膜の上側及び下側にそれぞれ配設すると共に、前記振動膜の左右方向に磁極の異なる前記磁極部が交互に位置するように間隔を開けて配設し、前記振動膜の上側及び下側に磁極面を形成する電磁変換器。
【請求項２】
振動膜の左右方向の磁極部間に生じる間隙を音放射孔とすることを特徴とする請求項１記載の電磁変換器。
【請求項３】
複数の磁極ヨークは、振動膜を覆い固定することを特徴とする請求項１記載の電磁変換器。
【請求項４】
振動膜の外周部を狭持する固定部材を設け、
複数の磁極ヨークは、前記振動膜及び前記固定部材を狭持して覆うことを特徴とする請求項１記載の電磁変換器。
【発明の詳細な説明】
【技術分野】
【０００１】
この発明は、振動膜の表面にコイルパターンを備えてオーディオ信号から音声再生を行う電磁変換器に関するものである。
【背景技術】
【０００２】
現在、永久磁石と振動膜とを組み合わせた電磁変換器について様々な技術が提案されている。例えば、特許文献１に記載の電磁変換器は、永久磁石板とこの永久磁石板に対向する位置に配置された振動膜と、永久磁石板と振動膜の間に介在する緩衝部材を備えている。永久磁石板は帯状の異なる磁極が一定間隔置きに交互に形成されている。また、振動膜は永久磁石板の異なる磁極同士の間隙部分である、いわゆる着磁のニュートラルゾーンに対向する位置に、蛇行形状の導体パターンからなるコイルが形成されている。【０００３】
これらの構成により、振動膜のコイルに電流（オーディオ信号）が流れると、コイルと永久磁石板の多極着磁パターンとが電磁的に結合し、フレミングの法則に従って振動膜にオーディオ振動が発生する。また、永久磁石板、振動膜及び緩衝部材は、金属フレームに覆われてスピーカ筐体に取り付けられ、振動によって発生した音波は永久磁石板と金属フレームに設けた放射孔を通して放射されてオーディオ再生が行われる。【０００４】
【特許文献１】特開平９−３３１５９６号公報
【０００５】
従来の電磁変換器は以上のように構成されているので、振動膜と対向する位置に、さらに振動膜を両方向から挟みこむように永久磁石板を配置する必要があり、永久磁石板の厚みを厚くすると磁気回路の大型化につながるという課題があった。そのため、永久磁石板の厚みを厚くすることなく、振動膜の駆動に必要な磁束密度を得るためには、ネオジウム鉄ボロン磁石などの高い最大エネルギー積（ＢＨｍａｘ）の磁石を用いる必要があり、磁気回路が高価格化するという課題があった。【０００６】
この発明は、上記のような課題を解決するためになされたもので、最大エネルギー積の低い磁石を用いて磁気回路を構成した場合にも磁気回路の大型化を招くことなく、振動膜の駆動に必要な磁束密度を得ることができる電磁変換器を提供することを目的とする。
【発明の開示】
【０００７】
この発明に係る電磁変換器は、対向する面に両極を有する少なくとも二つの磁石と、前記磁石により磁化されて磁極を形成する複数の磁極ヨークと、前記少なくとも二つの磁石の間に配置し、表面に形成されたコイルパターンを通電することにより前記磁極ヨークと電磁的に結合して所定方向に振動する振動膜とを備え、前記磁極ヨークは、前記磁石と当接して磁化される当接部と、前記磁極を帯状に形成する磁極部とを備え、前記複数の磁極ヨークの複数の磁極部を、前記振動膜の上側及び下側にそれぞれ配設すると共に、前記振動膜の左右方向に磁極の異なる前記磁極部が交互に位置するように間隔を開けて配設し、前記振動膜の上側及び下側に磁極面を形成するものである。
【０００８】
この発明によれば、対向する面に両極を有する少なくとも二つの磁石と、前記磁石により磁化されて磁極を形成する複数の磁極ヨークと、前記少なくとも二つの磁石の間に配置し、表面に形成されたコイルパターンを通電することにより前記磁極ヨークと電磁的に結合して所定方向に振動する振動膜とを備え、前記磁極ヨークは、前記磁石と当接して磁化される当接部と、前記磁極を帯状に形成する磁極部とを備え、前記複数の磁極ヨークの複数の磁極部を、前記振動膜の上側及び下側にそれぞれ配設すると共に、前記振動膜の左右方向に磁極の異なる前記磁極部が交互に位置するように間隔を開けて配設し、前記振動膜の上側及び下側に磁極面を形成するように構成したので、磁気回路の大型化を招くことなく磁石の大きさや厚みを変更することができる。そのため、最大エネルギー積の低い安価な磁石を用いて磁気回路を構成した場合にも必要な磁束密度を得ることができる。
【図面の簡単な説明】
【０００９】
【図１】この発明の実施の形態１に係る電磁変換器の構成を示す分解斜視図である。
【図２】この発明の実施の形態１に係る電磁変換器の構成を示す上方図である。
【図３】図１のＡ−Ａ線断面図である。
【図４】図１のＢ−Ｂ線断面図である。
【発明を実施するための最良の形態】
【００１０】
以下、この発明をより詳細に説明するために、この発明を実施するための最良の形態について、添付の図面に従って説明する。
実施の形態１．
図１から図４に基づきこの発明の実施の形態１に係る電磁変換器の構成について説明する。図１は、この発明の実施の形態１に係る電磁変換器の構成を示す分解斜視図である。図２は、この発明の実施の形態１に係る電磁変換器の構成を示す上方図である。さらに、図３は図１におけるＡ−Ａ線断面図、図４は図１におけるＢ−Ｂ線断面図である。
電磁変換器１０は、２つの磁石１１，１２、第１磁極ヨーク１３、第２磁極ヨーク１４、第３磁極ヨーク１５、第４磁極ヨーク１６、振動膜１７、ガスケット（固定部材）１８、音放射孔１９で構成されている。【００１１】
磁石１１及び磁石１２は、矩形の振動膜１７の短手側の外側両端部に配置され、振動膜１７の形成面に対して鉛直方向に磁極を有する。この実施の形態１では、図１に示すように磁石１１及び磁石１２の上面がＮ極、下面がＳ極で構成されている。第１磁極ヨーク１３及び第２磁極ヨーク１４は、磁石１１及び磁石１２を上側から、第３磁極ヨーク１５及び第４磁極ヨーク１６は、磁石１１及び磁石１２を下側から挟むように配置されている。各磁極ヨーク１３−１６は、鉄などの透磁率の高い材料で構成される。【００１２】
第１磁極ヨーク１３は、磁石１２の上面のＮ極に当接する当接部１３ａと、この当接部１３ａから一定の間隔をあけて帯状に延びる３本の磁極部１３ｂと、磁極部１３ｂの外側２本からそれぞれ下方に略Ｌ字状に延びる囲み部１３ｃにより構成されている。この３本の磁極部１３ｂは、電磁変換器１０の組み付け時に振動膜１７に対して上方に位置する。第２磁極ヨーク１４は、磁石１１の上面のＮ極に当接する当接部１４ａと、この当接部１４ａから帯状に延びる磁極部１４ｂにより構成されている。この磁極部１４ｂは、電磁変換器１０の組み付け時に後述する第４磁極ヨーク１６の磁極部と交差して振動膜１７の下方に位置する。また、当接部１４ａの上面には磁極部１３ｂの中央部分が嵌合可能な凹部１４ｃが形成されている。【００１３】
第３磁極ヨーク１５は、磁石１２の下面のＳ極に当接する当接部１５ａと、この当接部１５ａから一定の間隔をあけて帯状に延びる２本の磁極部１５ｂにより構成されている。２本の磁極部１５ｂは、電磁変換器１０の組み付け時に振動膜１７に対して下方に位置する。第４磁極ヨーク１６は、磁石１１の下面のＳ極に当接する当接部１６ａと、この当接部１６ａから一定の間隔をあけて帯状に延びる磁極部１６ｂにより構成されている。この磁極部１６ｂは、電磁変換器１０の組み付け時に第２磁極ヨーク１４の磁極部１４ｂと交差して振動膜１７の下方に位置するように折り曲げ形成されている。【００１４】
磁石１１及び磁石１２のＮ極に当接する第１磁極ヨーク１３及び第２磁極ヨーク１４はＮ極に磁化され、磁石１１及び磁石１２のＳ極に当接する第３磁極ヨーク１５及び第４磁極ヨーク１６はＳ極に磁化される。また、第２磁極ヨーク１４の磁極部１４ｂと第４磁極ヨーク１６の磁極部１６ｂが上下に交差するように配置していることから、各磁極ヨーク１３−１６を組み付けると、図２及び図３に示すように振動膜１７の上側でＮ極の磁極部１３ｂとＳ極の磁極部１６ｂが交互に配置されて磁極面を形成し、振動膜１７の下側でＮ極の磁極部１４ｂとＳ極の磁極部１５ｂが交互に配置されて磁極面を形成する。【００１５】
振動膜１７は、薄く柔軟な矩形の樹脂フィルム１７ａで形成され、両面に蛇行形状の導体パターンである蛇行コイルパターン１７ｂが形成されている。振動膜１７は各磁極ヨーク１３−１６により形成される磁極面に対向配置される。図３に示すように、蛇行コイルパターン１７ｂは、各磁極ヨーク１３−１６を組み付けた際にＮ極及びＳ極の各磁極部１３ｂ−１６ｂ間に形成される間隙部分のニュートラルゾーンｎｚ上に位置している。【００１６】
ガスケット１８は、樹脂または非磁性体の金属などで構成され、振動膜１７の外周部を狭持する。電磁変換器１０の組み付け時に、このガスケット１８がさらに各磁極ヨーク１３−１６に挟み込まれることにより振動膜１７が位置決めされる。なお、振動膜１７及びガスケット１８を挟み込む各磁極ヨーク１３−１６は、フレームの機能も有している。【００１７】
音放射孔１９は、各磁極ヨーク１３−１６を組み付けた際に磁極部１３ｂと１６ｂとの間に形成される間隙部分及び磁極部１４ｂと１５ｂとの間に形成される間隙部分である。なお、振動膜１７をガスケット１８及び各磁極ヨーク１３−１６で挟み込む場合、図２に示すように振動膜１７の蛇行コイルパターン１７ｂの長手方向に延びる直線部分が、音放射孔１９形成部分に位置するように挟み込む。ここで、直線部分とは、蛇行コイルパターン１７ｂのうち所定の間隔を持って互いに平行に配置されている長い直線部分のことを指す。【００１８】
次に、電磁変換器１０の動作について説明する。
振動膜１７の蛇行コイルパターン１７ｂにオーディオ信号である電流が流れると、蛇行コイルパターン１７ｂと第１磁極ヨーク１３、第２磁極ヨーク１４、第３磁極ヨーク１５、第４磁極ヨーク１６の磁極とが電磁的に結合し、フレミングの法則に従って振動膜１７が厚み方向に振動する。この振動によって発生した音波が、音放射孔１９から放射されてオーディオ再生が行われる。【００１９】
以上のように、この実施の形態１によれば、２つの磁石を振動膜の外側両端部に配置するように構成したので、磁石の大きさ及び厚みを変更することが可能となり、フェライト磁石などの比較的最大エネルギー積の低い安価な磁石を用いても振動膜の駆動に必要な磁束密度を得ることができる。【００２０】
また、この実施の形態１によれば、各磁極ヨークの磁極部を交互に配置して磁極部間の間隙を音放射孔とするように構成したので、音放射孔を形成したフレームを新たに設けることなく各磁極ヨークをフレームとして共有することができ、電磁変換器の低コストを実現することができる。【００２１】
また、この実施の形態１によれば、振動膜の位置決めを行うガスケットを配置し、当該ガスケットを各磁極ヨークで挟み込むように構成したので、各磁極ヨークを振動膜を固定するフレームとして共有することができ、電磁変換器の低コストを実現することができる。【００２２】
なお、上述の実施の形態１では、２つの磁石１１，１２を用いる構成を示したが、磁極ヨークを着磁させる構成であれば磁石の数はこれに限定されるものではない。【００２３】
また、上記実施の形態１では、磁極ヨーク１３が３本の磁極部１３ｂ、磁極ヨーク１４が１本の磁極部１４ｂ、磁極ヨーク１５及び磁極ヨーク１６がそれぞれ２本の磁極部１５ｂ，１６ｂを有する構成を示したが、各磁極部は上記の本数に限定されるものではなく、Ｎ極の磁極部とＳ極の磁極部を交互に配置した磁極面を形成できれば適宜変更可能である。【００２４】
また、上記実施の形態１では、磁極ヨーク１４の磁極部１４ｂと磁極ヨーク１６の磁極部１６ｂが交差する構成を示したが、Ｎ極の磁極部とＳ極の磁極部を交互に配置した磁極面を形成することができれば、上記構成に限定されない。
【産業上の利用可能性】
【００２５】
以上のように、この発明に係る電磁変換器は、フェライト磁石などの最大エネルギー積（ＢＨｍａｘ）の比較的低い磁石を用いて必要な磁束密度を得ることを可能としたので、オーディオ信号を再生する音響装置に適している。
【図１】
2009122459.tif 000003
【図２】
2009122459.tif 000004
【図３】
2009122459.tif 000005
【図４】
2009122459.tif 000006
【手続補正書】
【提出日】平成22年2月3日(2010.2.3)
【手続補正１】
【補正対象書類名】明細書
【補正対象項目名】全文
【補正方法】変更
【補正の内容】
【発明の詳細な説明】
【技術分野】
【０００１】
この発明は、振動膜の表面にコイルパターンを備えてオーディオ信号から音声再生を行う電磁変換器に関するものである。
【背景技術】
【０００２】
現在、永久磁石と振動膜とを組み合わせた電磁変換器について様々な技術が提案されている。例えば、特許文献１に記載の電磁変換器は、永久磁石板とこの永久磁石板に対向する位置に配置された振動膜と、永久磁石板と振動膜の間に介在する緩衝部材を備えている。永久磁石板は帯状の異なる磁極が一定間隔置きに交互に形成されている。また、振動膜は永久磁石板の異なる磁極同士の間隙部分である、いわゆる着磁のニュートラルゾーンに対向する位置に、蛇行形状の導体パターンからなるコイルが形成されている。
【０００３】
これらの構成により、振動膜のコイルに電流（オーディオ信号）が流れると、コイルと永久磁石板の多極着磁パターンとが電磁的に結合し、フレミングの法則に従って振動膜にオーディオ振動が発生する。また、永久磁石板、振動膜及び緩衝部材は、金属フレームに覆われてスピーカ筐体に取り付けられ、振動によって発生した音波は永久磁石板と金属フレームに設けた放射孔を通して放射されてオーディオ再生が行われる。
【先行技術文献】
【特許文献】
【０００４】
【特許文献１】特開平９−３３１５９６号公報
【発明の概要】
【発明が解決しようとする課題】
【０００５】
従来の電磁変換器は以上のように構成されているので、振動膜と対向する位置に、さらに振動膜を両方向から挟みこむように永久磁石板を配置する必要があり、永久磁石板の厚みを厚くすると電磁変換器の全体の厚みが増えてしまい薄型機器に内蔵できなくなるという課題があった。そのため、永久磁石板の厚みを厚くすることなく、振動膜の駆動に必要な磁束密度を得るためには、ネオジウム鉄ボロン磁石などの高い最大エネルギー積（ＢＨｍａｘ）の磁石を用いる必要があり、磁気回路が高価格化するという課題があった。
【０００６】
この発明は、上記のような課題を解決するためになされたもので、最大エネルギー積の低い磁石を用いて磁気回路を構成した場合にも電磁変換器全体の厚さを増すことなく、振動膜の駆動に必要な磁束密度を得ることができる電磁変換器を提供することを目的とする。
【課題を解決するための手段】
【０００７】
この発明に係る電磁変換器は、変換器の両端に磁石を配し、前記磁石により磁化されて磁極を形成する複数の磁極ヨークと、前記磁極ヨークの間に配置し、表面に形成されたコイルパターンを通電することにより前記磁極ヨークと電磁的に結合して所定方向に振動する振動膜とを備え、前記磁極ヨークは、前記磁石と当接して磁化される当接部と、前記磁極を帯状に形成する磁極部とを備え、前記複数の磁極ヨークの複数の磁極部を、前記振動膜の上側及び下側にそれぞれ配設すると共に、前記振動膜の左右方向に磁極の異なる前記磁極部が交互に位置するように間隔を開けて配設し、前記振動膜の上側及び下側に磁極面を形成するものである。
【発明の効果】
【０００８】
この発明によれば、変換器の両端に磁石を配し、前記磁石により磁化されて磁極を形成する複数の磁極ヨークと、前記磁極ヨークの間に配置し、表面に形成されたコイルパターンを通電することにより前記磁極ヨークと電磁的に結合して所定方向に振動する振動膜とを備え、前記磁極ヨークは、前記磁石と当接して磁化される当接部と、前記磁極を帯状に形成する磁極部とを備え、前記複数の磁極ヨークの複数の磁極部を、前記振動膜の上側及び下側にそれぞれ配設すると共に、前記振動膜の左右方向に磁極の異なる前記磁極部が交互に位置するように間隔を開けて配設し、前記振動膜の上側及び下側に磁極面を形成するように構成したので、電磁変換器全体の厚みを増すことなく磁石の大きさや厚みを変更することができる。そのため、最大エネルギー積の低い安価な磁石を用いて磁気回路を構成した場合にも必要な磁束密度を得ることができる。
【図面の簡単な説明】
【０００９】
【図１】この発明の実施の形態１に係る電磁変換器の構成を示す分解斜視図である。
【図２】この発明の実施の形態１に係る電磁変換器の構成を示す上方図である。
【図３】図１のＡ−Ａ線断面図である。
【図４】図１のＢ−Ｂ線断面図である。
【発明を実施するための形態】
【００１０】
以下、この発明をより詳細に説明するために、この発明を実施するための最良の形態について、添付の図面に従って説明する。
実施の形態１．
図１から図４に基づきこの発明の実施の形態１に係る電磁変換器の構成について説明する。図１は、この発明の実施の形態１に係る電磁変換器の構成を示す分解斜視図である。図２は、この発明の実施の形態１に係る電磁変換器の構成を示す上方図である。さらに、図３は図１におけるＡ−Ａ線断面図、図４は図１におけるＢ−Ｂ線断面図である。
電磁変換器１０は、２つの磁石１１，１２、第１磁極ヨーク１３、第２磁極ヨーク１４、第３磁極ヨーク１５、第４磁極ヨーク１６、振動膜１７、ガスケット（固定部材）１８、音放射孔１９で構成されている。
【００１１】
磁石１１及び磁石１２は、矩形の振動膜１７の長手側の外側両端部に配置され、振動膜１７の形成面に対して鉛直方向に磁極を有する。この実施の形態１では、図１に示すように磁石１１及び磁石１２の上面がＮ極、下面がＳ極で構成されている。第１磁極ヨーク１３及び第２磁極ヨーク１４は、磁石１１及び磁石１２を上側から、第３磁極ヨーク１５及び第４磁極ヨーク１６は、磁石１１及び磁石１２を下側から挟むように配置されている。各磁極ヨーク１３−１６は、鉄などの透磁率の高い材料で構成される。
【００１２】
第１磁極ヨーク１３は、磁石１２の上面のＮ極に当接する当接部１３ａと、この当接部１３ａから一定の間隔をあけて帯状に延びる３本の磁極部１３ｂと、磁極部１３ｂの外側２本からそれぞれ下方に略Ｌ字状に延びる囲み部１３ｃにより構成されている。この３本の磁極部１３ｂは、電磁変換器１０の組み付け時に振動膜１７に対して上方に位置する。第２磁極ヨーク１４は、磁石１１の上面のＮ極に当接する当接部１４ａと、この当接部１４ａから帯状に延びる磁極部１４ｂにより構成されている。この磁極部１４ｂは、電磁変換器１０の組み付け時に後述する第４磁極ヨーク１６の磁極部と交差して振動膜１７の下方に位置する。また、当接部１４ａの上面には磁極部１３ｂの中央部分が嵌合可能な凹部１４ｃが形成されている。
【００１３】
第３磁極ヨーク１５は、磁石１２の下面のＳ極に当接する当接部１５ａと、この当接部１５ａから一定の間隔をあけて帯状に延びる２本の磁極部１５ｂにより構成されている。２本の磁極部１５ｂは、電磁変換器１０の組み付け時に振動膜１７に対して下方に位置する。第４磁極ヨーク１６は、磁石１１の下面のＳ極に当接する当接部１６ａと、この当接部１６ａから一定の間隔をあけて帯状に延びる磁極部１６ｂにより構成されている。この磁極部１６ｂは、電磁変換器１０の組み付け時に第２磁極ヨーク１４の磁極部１４ｂと交差して振動膜１７の下方に位置するように折り曲げ形成されている。
【００１４】
磁石１１及び磁石１２のＮ極に当接する第１磁極ヨーク１３及び第２磁極ヨーク１４はＮ極に磁化され、磁石１１及び磁石１２のＳ極に当接する第３磁極ヨーク１５及び第４磁極ヨーク１６はＳ極に磁化される。また、第２磁極ヨーク１４の磁極部１４ｂと第４磁極ヨーク１６の磁極部１６ｂが上下に交差するように配置していることから、各磁極ヨーク１３−１６を組み付けると、図２及び図３に示すように振動膜１７の上側でＮ極の磁極部１３ｂとＳ極の磁極部１６ｂが交互に配置されて磁極面を形成し、振動膜１７の下側でＮ極の磁極部１４ｂとＳ極の磁極部１５ｂが交互に配置されて磁極面を形成する。
【００１５】
振動膜１７は、薄く柔軟な矩形の樹脂フィルム１７ａで形成され、両面に蛇行形状の導体パターンである蛇行コイルパターン１７ｂが形成されている。振動膜１７は各磁極ヨーク１３−１６により形成される磁極面に対向配置される。図３に示すように、蛇行コイルパターン１７ｂは、各磁極ヨーク１３−１６を組み付けた際にＮ極及びＳ極の各磁極部１３ｂ−１６ｂ間に形成される間隙部分のニュートラルゾーンｎｚ上に位置している。
【００１６】
ガスケット１８は、樹脂または非磁性体の金属などで構成され、振動膜１７の外周部を狭持する。電磁変換器１０の組み付け時に、このガスケット１８がさらに各磁極ヨーク１３−１６に挟み込まれることにより振動膜１７が位置決めされる。なお、振動膜１７及びガスケット１８を挟み込む各磁極ヨーク１３−１６は、フレームの機能も有している。
【００１７】
音放射孔１９は、各磁極ヨーク１３−１６を組み付けた際に磁極部１３ｂと１６ｂとの間に形成される間隙部分及び磁極部１４ｂと１５ｂとの間に形成される間隙部分である。なお、振動膜１７をガスケット１８及び各磁極ヨーク１３−１６で挟み込む場合、図２に示すように振動膜１７の蛇行コイルパターン１７ｂの長手方向に延びる直線部分が、音放射孔１９形成部分に位置するように挟み込む。ここで、直線部分とは、蛇行コイルパターン１７ｂのうち所定の間隔を持って互いに平行に配置されている長い直線部分のことを指す。
【００１８】
次に、電磁変換器１０の動作について説明する。
振動膜１７の蛇行コイルパターン１７ｂにオーディオ信号である電流が流れると、蛇行コイルパターン１７ｂと第１磁極ヨーク１３、第２磁極ヨーク１４、第３磁極ヨーク１５、第４磁極ヨーク１６の磁極とが電磁的に結合し、フレミングの法則に従って振動膜１７が厚み方向に振動する。この振動によって発生した音波が、音放射孔１９から放射されてオーディオ再生が行われる。
【００１９】
以上のように、この実施の形態１によれば、２つの磁石を振動膜の外側両端部に配置するように構成したので、磁石の大きさ及び厚みを変更することが可能となり、フェライト磁石などの比較的最大エネルギー積の低い安価な磁石を用いても振動膜の駆動に必要な磁束密度を得ることができる。
【００２０】
また、この実施の形態１によれば、各磁極ヨークの磁極部を交互に配置して磁極部間の間隙を音放射孔とするように構成したので、音放射孔を形成したフレームを新たに設けることなく各磁極ヨークをフレームとして共有することができ、電磁変換器の低コストを実現することができる。
【００２１】
また、この実施の形態１によれば、振動膜の位置決めを行うガスケットを配置し、当該ガスケットを各磁極ヨークで挟み込むように構成したので、各磁極ヨークを振動膜を固定するフレームとして共有することができ、電磁変換器の低コストを実現することができる。
【００２２】
なお、上述の実施の形態１では、２つの磁石１１，１２を用いる構成を示したが、磁極ヨークを着磁させる構成であれば磁石の数はこれに限定されるものではない。
【００２３】
また、上記実施の形態１では、磁極ヨーク１３が３本の磁極部１３ｂ、磁極ヨーク１４が１本の磁極部１４ｂ、磁極ヨーク１５及び磁極ヨーク１６がそれぞれ２本の磁極部１５ｂ，１６ｂを有する構成を示したが、各磁極部は上記の本数に限定されるものではなく、Ｎ極の磁極部とＳ極の磁極部を交互に配置した磁極面を形成できれば適宜変更可能である。
【００２４】
また、上記実施の形態１では、磁極ヨーク１４の磁極部１４ｂと磁極ヨーク１６の磁極部１６ｂが交差する構成を示したが、Ｎ極の磁極部とＳ極の磁極部を交互に配置した磁極面を形成することができれば、上記構成に限定されない。
【国際調査報告】
2009122459.tif 000007
2009122459.tif 000008